(57)【要約】【課題】所定の音響空間内に位置する複数の聴き手に対して均等な音圧を与えることができる１２面体スピーカの設置方法を提供する。【解決手段】正１２面体形状の１２の面にそれぞれスピーカを配置した１２面体スピーカを、所定の音響空間内に位置する複数の聴き手に対して、均等な音圧を与えるように配置する。【選択図】図１
2007312034.tif 000002
【特許請求の範囲】
【請求項１】
正１２面体形状の１２の面の少なくとも６以上の面にスピーカを配置した１２面体スピーカの設置方法であって、
所定の音響空間内に位置する複数の聴き手に対して、均等な音圧となるように設置されている
ことを特徴とする１２面体スピーカの設置方法。
【請求項２】
請求項１において、
前記均等な音圧は、床面及び／又は天井面及び／又は壁面からの距離を均等にすることにより実現されている
ことを特徴とする１２面体スピーカの設置方法。
【請求項３】
請求項１において、
前記均等な音圧は、聴き手からの距離を均等にすることにより実現されている
ことを特徴とする１２面体スピーカの設置方法。
【請求項４】
正１２面体形状の１２の面の少なくとも６以上の面にスピーカを配置した１２面体スピーカからの音圧が、所定の音響空間内に位置する複数の聴き手に対して、均等にかかる
ことを特徴とする音響空間。
【発明の詳細な説明】
【技術分野】
【０００１】
本発明は、正１２面体形状の少なくとも６以上の面にそれぞれスピーカを配置した１２面体スピーカの設置方法及び該スピーカを用いた音響空間に関する。
【背景技術】
【０００２】
従来より、図３に示されるような１２個のスピーカ３を有した１２面体スピーカ１が知られている（例えば特許文献１参照）。
【０００３】
このような１２面体スピーカ１は、周囲に向けて均等に配置された１２個のスピーカ３によって略３６０°に渡って極めて広い指向特性が得られ、高級な音響機器として利用されている。
【０００４】
又、学校の視聴覚教室や、エアロビスタジオ等、一定程度以上の空間内に複数の人間が入る場合には、音を空間内にもれなく伝達し、複数の人間全てに情報が伝わるようにするために、複数のスピーカが配置されることも多い。
【０００５】
【特許文献１】特開２００５−５１６９４号公報
【発明の開示】
【発明が解決しようとする課題】
【０００６】
しかしながら、従来のように単に一般的な形状の複数のスピーカを配置するのみでは音圧の偏りが激しく、以下に述べるような不都合が生じていた。
【０００７】
例えば、エアロビスタジオは、流される音楽に合わせてエアロビックダンスを楽しむことが主目的であるため、全てのダンサーに音楽が十分に届けられる必要がある。しかし、図６に示すように、一般的なスピーカ８を床置き（又は、壁掛け）して設置使用している限りにおいては、設置されるスピーカとの位置関係によって、音圧の偏りが激しくなってしまう。このとき、相対的に音圧の低い位置にいる人を基準にスピーカ８の出力を調整した場合には、相対的に音圧の高い領域ＥＸ、ＥＨにいる人にとっては過剰な音圧となり、不快感を生じたり、更には、難聴を誘発する原因ともなり得る。一方、相対的に音圧の高い領域ＥＬにいる人を基準にスピーカ８の出力を調整した場合には、相対的に音圧の低い位置にいる人にとっては、スピーカから流れる音楽が十分に届かない場合もある。
【０００８】
このことは、図７に示すように、一般的なスピーカ８を天井面６に設置した場合も同様である。
【０００９】
又、同様の理由から語学試験等のリスニング会場等では、スピーカの位置と、受験者の座席の位置との関係によって、音圧の偏りに起因する不公正感も否定できない。
【００１０】
仮に、このような不都合を解消するべく、一人に付き１台のスピーカを配置することも考えられるが、コスト的に問題があり現実的でない。特に、エアロビスタジオ等で使用する場合には、音楽に合わせて聴き手が移動することがあるため、一人に付き１台配置したとしても十分な効果が期待できない場合もある。
【００１１】
そこで本発明は、これらの不都合を解消するべくなされたものであって、所定の音響空間内に位置する複数の聴き手に対してスピーカからの距離に応じて均一な音圧を与えることをその課題としている。
【課題を解決するための手段】
【００１２】
本発明は、正１２面体形状の１２の面の少なくとも６以上の面にスピーカを配置した１２面体スピーカの設置方法であって、所定の音響空間内に位置する複数の聴き手に対して、均等な音圧となるように設置することにより、上記課題を解決したものである。
【００１３】
又、前記均等な音圧は、床面及び／又は天井面及び／又は壁面からの距離を均等にすることにより実現されるようにしたものである。
【００１４】
又、前記均等な音圧は、聴き手からの距離を均等にすることにより実現されるようにしたものである。
【００１５】
これにより、所定の音響空間内に位置する聴き手に対して均等な音圧を与えることができる。
【００１６】
又、このように設置することで、所定の音響空間内に位置する複数の聴き手に対して、１２面体スピーカからの均等な音圧がかかる音響空間を提供することができる。
【発明の効果】
【００１７】
本発明を適用することにより、所定の音響空間内に位置する複数の聴き手に対して均等な音圧を与えることができる。
【発明を実施するための最良の形態】
【００１８】
以下、添付図面を用いて本発明の実施形態の一例を詳細に説明する。
【００１９】
本発明で用いられる１２面体スピーカは、従来例として図３に示したような１２面体スピーカ１と同様のものである。
【００２０】
この１２面体スピーカ１は、正１２面体形状のスピーカボックスの少なくとも６以上の面に、スピーカ３を設置するためのスピーカ設置孔が設けられ、その設置孔にスピーカ３がそれぞれ設置固定されているものである。
【００２１】
図１は、エアロビスタジオ１０に１２面体スピーカ２０を本発明に係る設置方法により設置した設置例である。
【００２２】
ここでは、１２面体スピーカ２０は取付金具２１によってエアロビスタジオ１０の天井面２３に適宜装着されている。但し、天井面２３に１２面体スピーカ２０を取り付けることが本発明の必須の構成要素とならず、例えば、床面に設置してもよく、壁面に設置してもよく、これらを組み合わせて設置しても良い。
【００２３】
このとき、各々の１２面体スピーカ２０は、例えば天井面２３に取り付けた図１の例で言うならば、天井面２３から１２面体スピーカ２０の中心Ｏまでの距離Ｈ１を統一して（均等に）設置する。
【００２４】
１２面体スピーカ２０からは略３６０度にわたって距離に応じて均等に音圧が発生する。即ち、エアロビスタジオ１０の天井面２３からある一定程度の距離Ｈ１を保って複数の１２面体スピーカ２０を設置した場合には、スタジオ内で踊る複数のダンサー１１の頭部付近にはほぼ均等な音圧が与えられる（図１参照）。このように設置することで、ダンサー１１がエアロビスタジオ内のどの位置にいた場合でも、ほぼ均等な音圧を与えることができ、一部の人間にのみ高い音圧が届けられたり、逆に一部の人間にのみ低い音圧が届くようなことは無い。
【００２５】
設置方法として、より好ましくは、１２面体スピーカ２０からダンサー（聴き手）１１までの距離Ｄ１と、天井面２３に複数設置される１２面体スピーカ２０同士の距離Ｗ１が同程度以下であるとよい。このようにすることで、略球状に拡がる１２面体スピーカ２０からの音圧の偏りをより低減することが可能となる。
【００２６】
又、聴き手であるダンサーが、スタジオ内を適宜移動した場合でも、音圧が大きく偏ることはない。
【００２７】
又、図２（Ａ）に示すように、１２面体スピーカ２０を、例えば天井面２３に半分程度埋め込んで設置してもよい。このようにすれば、スピーカ３の設置個数を減らすことができ、コスト低減に有利である。一方、このようにしても、天井面２３側には聴き手が存在しないため、音圧に偏りが生じる等の不都合はない。
【００２８】
なお、図２（Ｂ）に示すように、天井面２３から、ある一定の距離Ｈ１を伴って１２面体スピーカを設置した場合でも、水平を基準として、より天井面２３側を向いているスピーカ３を省略してもよい。これは前述したように、天井面２３に１２面体スピーカ２０を埋め込んだ場合と同様の理由によるものである。
【００２９】
但し、この場合でも、天井面２３側を向くスピーカ３を配置しておくことによって、音が天井面２３に反射して拡散することによって、よりスタジオ内に音が均等に拡がるというメリットがある。
【００３０】
図３は、本発明に係る１２面体スピーカの設置方法を語学試験等のリスニング会場等で適用した例である。
【００３１】
近年、語学試験の内容は、読み書きだけでなく、リスニングについても行なわれるようになってきている。ここでは、広い試験会場内に複数の受験生が入れられて、スピーカから出力される音声等を聴き、解答することが行なわれることも多い。
【００３２】
図３で示すリスニング会場１２には、１２面体スピーカ２０が６つ配置されている。この１２面体スピーカ２０の周りには１２面体スピーカ２０からその周囲のほぼ均等な位置に、語学試験のリスニング受験者１３が位置している。このように１２面体スピーカ２０を設置すれば、各受験者１３にはそれぞれの１２面体スピーカ２０から均等な音圧が与えられるため、リスニング試験における不公正感を解消することができる。
【００３３】
より具体的には、図４に示すように、１２面体スピーカ２０をスタンド２２等を利用して床面から一定の距離Ｈ２を保って設置する。このとき、複数の１２面体スピーカ２０を設置する場合には、全ての１２面体スピーカ２０の設置高さＨ２を統一して設置する。又、１２面体スピーカ２０と受験者１３までの距離Ｄ２も統一しておく。
【００３４】
このような配置とすれば、図３の例で言えば、受験者４８人に対して６台のスピーカの設置で、全受験者に対して均一な音（均等な音圧）を提供できる。仮に一般的なスピーカを、１人１台設置するとすれば、スピーカが４８台必要であり、コストもかかる。又、設置する手間が非常にかかる。
【００３５】
本発明に係る１２面体スピーカを用いた設置方法を利用することで、これらの点も同時に解消し、低コストでしかも簡易に設置できる。
【００３６】
なお、本実施例では、会場内に６つのスピーカを配置しているが、必ずしもこれに限られる趣旨のものではなく、聴き手からの距離を均等に保った１２面体スピーカの配置方法であれば全て含まれるものである。
【００３７】
なお、本発明において、「音圧が均等」とは、厳密に全く同一の音圧のことを意味するものではなく、ある一定程度の幅のある範囲であることを意味している。
【００３８】
又、本発明において、「均等な距離」、「距離を統一」とは、厳密に全く同一の距離を意味するものではなく、ある一定程度の幅をもった距離のことを意味している。
【産業上の利用可能性】
【００３９】
本発明は、１２面体スピーカだけでなく、１８０度乃至は３６０度にわたって均等に音圧を配向できる多面体スピーカに広く適用することができる。
【図面の簡単な説明】
【００４０】
【図１】本発明に係る１２面体スピーカの設置方法をエアロビスタジオに適用した例
【図２】１２面体スピーカの設置例
【図３】本発明に係る１２面体スピーカの設置方法を語学試験のリスニング会場に適用した例であり、天井面から見下ろした図
【図４】図３における矢示IV方向から見た図
【図５】従来よりある１２面体スピーカの斜視図
【図６】一般的なスピーカを用いた音圧の配向特性を示す図であり、スピーカが床置きされた状態を天井側から見下ろした図
【図７】一般的なスピーカを用いた音圧の配向特性を示す図であり、スピーカが天井面な取り付けられている例
【符号の説明】
【００４１】
１０…エアロビスタジオ
１１…ダンサー（聴き手）
１２…リスニング会場
１３…受験者（聴き手）
２０…１２面体スピーカ
【図１】
2007312034.tif 000003
【図２】
2007312034.tif 000004
【図３】
2007312034.tif 000005
【図４】
2007312034.tif 000006
【図５】
2007312034.tif 000007
【図６】
2007312034.tif 000008
【図７】
2007312034.tif 000009